(57)【要約】      （修正有）【課題】コンデンサの自然放電により失われるエネルギーを減少させる眼科装置を提供する。【解決手段】眼科装置である眼底カメラ１００は、被検眼Ｅの眼底Ｅｒを撮影する眼底撮影光学系Ｏ２と、被検眼Ｅの眼底Ｅｒの撮影時に被検眼Ｅを照明するキセノン管３と、キセノン管３の発光のための電気を充電するメインコンデンサと、被検眼Ｅの撮影準備状況に基づいてメインコンデンサの充電の実施と停止を切り替えるシステム制御部２６とを有する。【選択図】図１
2015202381.tif 000002
【特許請求の範囲】
【請求項１】
被検眼を撮影する撮影手段を有する眼科装置であって、
前記被検眼の撮影時に前記被検眼を照明する撮影用光源の発光のための電気を充電するコンデンサと、
前記被検眼の撮影準備状況に基づいて、前記コンデンサの充電の実施と停止とを切り替える制御手段と、
を有することを特徴とする眼科装置。
【請求項２】
前記制御手段は、前記被検眼の撮影準備中における前記コンデンサの充電の実施と、前記被検眼の撮影準備の完了の後における前記コンデンサの充電の停止及び前記被検眼の撮影の実行とを切り替えることを特徴とする請求項１に記載の眼科装置。
【請求項３】
前記制御手段は、前記被検眼の撮影準備状況が所定の状態に至った場合に前記コンデンサの充電を実施し、前記被検眼の撮影準備状況が所定の状態に至っていない場合には前記コンデンサの充電を実施しないことを特徴とする請求項１または２に記載の眼科装置。
【請求項４】
前記被検眼の撮影準備状況を評価する評価手段をさらに有し、
前記制御手段は、前記評価手段による撮影準備状況の評価結果に基づいて、前記コンデンサの充電の実施と停止とを切り替えることを特徴とする請求項１から３のいずれか１項に記載の眼科装置。
【請求項５】
前記被検眼を観察する観察手段をさらに有し、
前記評価手段は、前記観察手段により観察された前記被検眼の観察画像についてのあらかじめ定められた１つ以上の項目の評価結果に基づいて、前記被検眼の撮影準備状況を評価することを特徴とする請求項４に記載の眼科装置。
【請求項６】
前記被検眼にフォーカス指標を投影するフォーカス指標投影手段をさらに有し、
前記評価手段は、前記観察手段が観察したフォーカス指標の状態に基づいて、前記被検眼の撮影準備状況を評価することを特徴とする請求項５に記載の眼科装置。
【請求項７】
前記被検眼にアライメント指標を投影するアライメント指標投影手段をさらに有し、
前記評価手段は前記観察手段が観察したアライメント指標の状態に基づいて、前記被検眼の撮影準備状況を評価することを特徴とする請求項５に記載の眼科装置。
【請求項８】
前記被検眼の観察時に前記被検眼を照明する観察用光源と、
をさらに有し、
前記観察手段は、前記観察用光源による照明によって、前記被検眼を観察することを特徴とする請求項５から７のいずれか１項に記載の眼科装置。
【請求項９】
前記評価手段は、前記１つ以上の項目のそれぞれにあらかじめ割り当てられた評価値を合算して、合算の結果が閾値以上であるか否かを判定し、
前記制御手段は、前記評価値の合算の結果が閾値以上であれば前記コンデンサの充電を実施し、閾値未満であれば前記コンデンサの充電を停止することを特徴とする請求項５から８のいずれか１項に記載の眼科装置。
【請求項１０】
被検眼を撮影する撮影手段を有する眼科装置の制御方法であって、
前記被検眼の撮影時に前記被検眼を照明する撮影用光源の発光のための電気をコンデンサに充電する充電ステップと、
前記被検眼の撮影準備状況に基づいて、前記コンデンサの充電の実施と停止とを切り替える切り替えステップと、
を有することを特徴とする眼科装置の制御方法。
【請求項１１】
前記切り替えるステップにおいては、前記被検眼の撮影準備中における前記コンデンサの充電の実施と、前記被検眼の撮影準備の完了の後における前記コンデンサの充電の停止及び前記被検眼の撮影の実行とを切り替えることを特徴とする請求項１０に記載の眼科装置の制御方法。
【請求項１２】
前記切り替えるステップにおいては、前記被検眼の撮影準備状況が所定の状態に至った場合に前記コンデンサの充電を実施し、前記被検眼の撮影準備状況が所定の状態に至っていない場合には前記コンデンサの充電を実施しないことを特徴とする請求項１０または１１に記載の眼科装置の制御方法。
【請求項１３】
前記被検眼の撮影準備状況を評価する評価ステップをさらに有し、
前記切り替えステップにおいては、前記評価ステップにおける撮影準備状況の評価結果に基づいて、前記コンデンサの充電の実施と停止とを切り替えることを特徴とする請求項１０から１２のいずれか１項に記載の眼科装置の制御方法。
【請求項１４】
前記被検眼を観察する観察ステップをさらに有し、
前記評価ステップにおいては、前記観察ステップにおいて観察された前記被検眼の観察画像についてのあらかじめ定められた１つ以上の項目の評価結果に基づいて、前記被検眼の撮影準備状況を評価することを特徴とする請求項１３に記載の眼科装置の制御方法。
【請求項１５】
前記観察ステップにおいては、フォーカス指標が投影された前記被検眼を観察し、
前記評価ステップにおいては、前記観察ステップにおいて観察したフォーカス指標の状態に基づいて、前記被検眼の撮影準備状況を評価することを特徴とする請求項１４に記載の眼科装置の制御方法。
【請求項１６】
前記観察ステップにおいては、アライメント指標が投影された前記被検眼を観察し、
前記評価ステップにおいては、前記観察ステップにおいて観察したアライメント指標の状態に基づいて、前記被検眼の撮影準備状況を評価することを特徴とする請求項１５に記載の眼科装置の制御方法。
【請求項１７】
前記観察ステップにおいては、前記被検眼を観察用光源で照明することを特徴とする請求項１４から１６のいずれか１項に記載の眼科装置の制御方法。
【請求項１８】
前記評価ステップにおいては、前記１つ以上の項目のそれぞれにあらかじめ割り当てられた評価値を合算して、合算の結果が閾値以上であるか否かを判定し、
前記切り替えステップにおいては、前記被検眼の撮影準備中は前記コンデンサの充電の実施と、前記被検眼の撮影準備が完了したら前記コンデンサの充電の停止および前記被検眼の撮影の実行とを切り替えることを特徴とする請求項１４から１７のいずれか１項に記載の眼科装置の制御方法。
【請求項１９】
コンピュータに、請求項１０から１８のいずれか１項に記載の眼科装置の制御方法を実行させることを特徴とするプログラム。
【発明の詳細な説明】
【技術分野】
【０００１】
本発明は、眼科医院等で使用される眼科装置、眼科装置の制御方法、プログラムに関する。特には、撮影時に被検眼に光を照射する撮影用光源を有する眼科装置と、この眼科装置の制御方法と、この眼科装置の制御方法を実行するプログラムに関する。
【背景技術】
【０００２】
眼科装置には、被検眼に光を照射して撮影を行うものがある。例えば、眼科装置の一種である眼底カメラは、定常光を発する観察用光源と、パルス光を発する撮影用光源とを有する。そして、観察用光源が発する定常光で被検眼の眼底を照明し、その状態で、被検眼と眼科装置との位置合わせを行い、合焦レンズの位置を調整して眼底に焦点を合わせる。その後、操作者により撮影スイッチが操作されると、撮影用光源が発光して被検眼の眼底の撮影を実施する。
【０００３】
このような眼科装置において、撮影用光源としてキセノン管が適用され、撮影前に電源にてコンデンサを充電し、撮影時にその充電された電気を使用してキセノン管を発光させるものが知られている。そして、消費エネルギーを抑える構成として、特許文献１には、操作が行われないと省電力状態に移行し、操作が行われると省電力状態を解除する機能を有し、省電力状態では発光エネルギー蓄積用のコンデンサへの充電を禁止する構成が開示されている。
【先行技術文献】
【特許文献】
【０００４】
【特許文献１】特開平８−４７４８３号公報
【発明の概要】
【発明が解決しようとする課題】
【０００５】
操作者の操作に基づいて撮影を実施する必要がある従来の眼科装置では、撮影が実施されるタイミングをあらかじめ知ることができない。このため、コンデンサには、撮影に必要な電荷を常に保持させておかなければならない。しかしながら、コンデンサは自然放電するため、電荷量の減少に併せて断続的に充電しなければならない。このため、自然放電分のエネルギーは無駄に消費される。さらに、一般にキセノン管の発光には大きなエネルギーが必要であり、コンデンサに高い電圧で充電する必要がある。コンデンサの自然放電量は、充電電圧と正の相関関係を有している。このため、高い電圧になるように充電すると、自然放電によって多くのエネルギーが無駄に消費される。上記実情に鑑み、本発明が解決しようとする課題は、コンデンサの自然放電により失われるエネルギーを減少させることである。
【課題を解決するための手段】
【０００６】
本発明は、被検眼を撮影する撮影手段を有する眼科装置であって、前記被検眼の撮影時に前記被検眼を照明する撮影用光源の発光のための電気を充電するコンデンサと、前記被検眼の撮影準備状況に基づいて、前記コンデンサの充電の実施と停止を切り替える制御手段と、を有することを特徴とする。
【発明の効果】
【０００７】
本発明の眼科装置は、撮影準備状況に基づいて充電を実施するかしないかが制御される。このため、コンデンサが高い電圧に充電された状態にある時間を短縮できる。したがって、コンデンサの自然放電により失われるエネルギーを減少させることが可能となる。
【図面の簡単な説明】
【０００８】
【図１】図１は、本発明の実施形態に係る眼底カメラの構成図である。
【図２】図２は、キセノン管駆動部の回路図である。
【図３】図３は、観察画像の模式図である。
【図４】図４は、撮影準備評価項目を示す表である。
【図５】図５は、充電・撮影制御のフローチャートである。
【発明を実施するための形態】
【０００９】
以下に、本発明の実施形態について、図１〜図５を参照して詳細に説明する。本発明の実施形態では、眼科装置として眼底カメラを例に示す。ただし、本発明の適用対象である眼科装置は、眼底カメラに限定されない。本発明は、例えば、光干渉断層画像撮影装置（Optical Coherence Tomography）などの他の種類の眼科装置にも適用できる。
【００１０】
まず、図１を参照して、眼底カメラの全体的な構成について説明する。図１は、本実施形態における眼底カメラ１００の構成例を示す模式図である。眼底カメラ１００には、キセノン管３から対物レンズ１０に至る光路が設けられる。この光路上には、キセノン管３に近い側から順に、絞り４と、ダイクロイックミラー５と、リレーレンズ６と、スプリットプリズム７と、リレーレンズ８と、孔あきミラー９とが配置される。
【００１１】
キセノン管３は、撮影用光源の一例であり、撮影時において可視光のパルス光を発して被検眼Ｅの眼底Ｅｒを照明する。ダイクロイックミラー５は、赤外光を透過し可視光（キセノン管３が発するパルス光）を反射する。絞り４には、リング状の開口部が形成される。そして絞り４は、ダイクロイックミラー５の可視光の反射方向（ダイクロイックミラー５とキセノン管３との間）に配置される。ダイクロイックミラー５の赤外線の透過方向には、ダイクロイックミラー５から近い順に、リング状の開口が形成された絞り２と、赤外観察用の赤外ＬＥＤ１とが配置されている。赤外ＬＥＤ１は、観察用光源の一例であり、眼底観察時において、赤外線の定常光で被検眼Ｅの眼底を照明する。このように、眼底カメラ１００には、キセノン管３から対物レンズ１０に至る光路に設けられる前述の各部材と、絞り２と、赤外ＬＥＤ１とによって、照明用光学系の一例である眼底照明光学系Ｏ１が構成される。
【００１２】
スプリットプリズム７の反射方向には、スプリットプリズム７に近い側から順に、絞り１１と、レンズ１２と、合焦用指標１３と、合焦用指標光源の一例である赤外ＬＥＤ１４とが配置される。そしてこれらは、合焦用指標投影光学系Ｏ３を構成する。合焦用指標投影光学系Ｏ３は、合焦レンズ１５と連動して、図１中の矢印Ａの方向に移動可能に構成される。さらに、合焦用指標投影光学系Ｏ３は、不図示の駆動系により図１中の矢印Ｂの方向に移動可能である。そして、合焦用指標投影光学系Ｏ３は、静止画撮影時には、照明光学系Ｏ１上から退避する。
【００１３】
孔あきミラー９の透過方向の光路上には、穴あきミラー９に近い側から順に、合焦レンズ１５と、撮影レンズ１６と、ＣＭＯＳセンサー１７とが配置される。これらは、撮影手段の一例である眼底撮影光学系Ｏ２を構成する。孔あきミラー９には、位置合わせ指標用光源の一例である赤外ＬＥＤ２１ａ，２１ｂが、ライトガイド２０ａ、２０ｂを通じて接続されている。ＣＭＯＳセンサー１７は、その表面に結像した眼底像などを電気信号である画像信号に変換して画像信号処理部１８に送信する。画像信号処理部１８は、ＣＭＯＳセンサー１７が出力する眼底像の画像信号などに所定の処理を施し、表示部１９へ出力する。表示部１９は、液晶パネルなどといった画像表示器を有する。そして、表示部１９は、画像信号処理部１８から出力される眼底像などを表示する。
【００１４】
さらに眼底カメラ１００は、操作部２７と、システム制御部２６と、ＬＥＤ駆動部２２，２４，２５と、キセノン管駆動部２３と、記録部２８とを有する。操作部２７は、操作者（使用者）が眼底カメラを操作するために使用される。システム制御部２６は、操作者による操作部２７の操作に応じ、眼底カメラ１００の各部を制御する。システム制御部２６には、操作部２７と、ＬＥＤ駆動部２２，２４，２５と、キセノン管駆動部２３と、記録部２８と、ＣＭＯＳセンサー１７と、画像信号処理部１８とが接続されている。ＬＥＤ駆動部２２は、システム制御部２６の制御にしたがって赤外ＬＥＤ１を駆動する。キセノン管駆動部２３は、キセノン管３と接続しており、システム制御部２６の制御にしたがってキセノン管３を駆動する。ＬＥＤ駆動部２４は、赤外ＬＥＤ１４と接続しており、システム制御部２６の制御にしたがって赤外ＬＥＤ１４を駆動する。ＬＥＤ駆動部２５は、赤外ＬＥＤ２１ａ，２１ｂと接続しており、システム制御部２６の制御にしたがって赤外ＬＥＤ２１ａ，２１ｂを駆動する。
【００１５】
システム制御部２６には、例えば、ＣＰＵとＲＡＭとＲＯＭとを有するコンピュータが適用される。ＲＯＭには、眼底カメラ１００を制御するためのコンピュータプログラムが格納されている。そして、ＣＰＵは、ＲＯＭに格納されているコンピュータプログラムを読出し、適宜ＲＡＭに展開して実行する。これにより、システム制御部２６は後述する各手段として機能し、後述する処理が実現する。記録部２８は、画像信号処理部１８が処理した眼底像などを、コンピュータ読取り可能に格納する。記録部２８には、コンピュータ読取り可能な各種記録媒体や各種記録装置が適用される。
【００１６】
図２は、本実施形態にかかるキセノン管駆動部２３に設けられる、キセノン管３を駆動する電気回路の構成例を示す図である。図２に示すように、キセノン管駆動部２３に設けられる電気回路は、電源２９と、トリガー回路３０と、メインコンデンサ３１と、ＩＧＢＴ３２とを有する。電源２９は、システム制御部２６による制御にしたがって、メインコンデンサ３１を高電圧に充電する。撮影時において、システム制御部２６は、トリガー回路３０を作動させる。トリガー回路３０は、システム制御部２６による制御にしたがい、キセノン管３のトリガー電極にトリガー電圧を印加する。それと同期してシステム制御部２６は、ＩＧＢＴ３２をＯＮにし、メインコンデンサ３１に充電されている電気をキセノン管３に流す。これにより、キセノン管３が発光を開始する。システム制御部２６は、キセノン管３の発光開始後において、ＩＧＢＴ３２をＯＦＦにしてキセノン管３への電流を遮断する。これにより、キセノン管３の発光が停止する。
【００１７】
ここで、眼底観察時に表示部１９が表示する画像について、図３を参照して説明する。図３は、眼底観察時において表示部１９に表示される画像を模式的に示す図である。眼底観察時においては、観察用光源の一例である赤外ＬＥＤ１により被検眼Ｅを照明する。撮像手段の一例であるＣＭＯＳセンサー１７は、赤外ＬＥＤ１により照明された被検眼Ｅの眼底像Ｅｒの画像信号を出力する。なお、破線で示すアライメント半完範囲Ａ１とフレア検出範囲Ａ２は、後述の説明のために図上に表したものであり、実際には表示部１９に表示されない。
【００１８】
眼底観察時において、表示部１９は、アライメントマークＭと、赤外ＬＥＤ１により照明された眼底像Ｅｒ’と、２つのアライメント指標像Ｗａ’，Ｗｂ’と、２つのフォーカス指標像Ｆａ’，Ｆｂ’とを表示する。２つのアライメント指標像Ｗａ’，Ｗｂ’は、被検眼Ｅに投影されたアライメント指標Ｗａ，Ｗｂ（後述）の反射像である。２つのフォーカス指標像Ｆａ’，Ｆｂ’は、被検眼Ｅに投影されたフォーカス指標Ｆａ，Ｆｂ（後述）の反射像である。
【００１９】
次いで、図１と図３を参照して、眼底カメラ１００の動作を説明する。眼底観察時においては、システム制御部２６は、ＬＥＤ駆動部２２，２３，２４を制御して、赤外ＬＥＤ１，１４，２１ａ，２１ｂを点灯させる。赤外ＬＥＤ１から出射した光束（照明光束）は、絞り２と、ダイクロイックミラー５と、リレーレンズ６と、スプリットプリズム７と、リレーレンズ８とを通過し、孔あきミラー９に至る。そしてこの照明光束は、孔あきミラー９で反射し、対物レンズ１０を通過して被検眼Ｅの眼底Ｅｒを照明する。眼底Ｅｒからの反射光束は、対物レンズ１０と、孔あきミラー９の孔部と、合焦レンズ１５と、撮影レンズ１６とを通過し、ＣＭＯＳセンサー１７上に眼底像として結像する。ＣＭＯＳセンサー１７は、結像した眼底像を光電変換し、眼底像を画像信号（電気信号）として出力する。
【００２０】
赤外ＬＥＤ１４から射出する光束（フォーカス指標光束）は、合焦用指標１３と、レンズ１２と、絞り１１とを通過し、スプリットプリズム７に至る。そしてフォーカス指標光束は、スプリットプリズム７で光路分割される。光路分割されたフォーカス指標光束は、リレーレンズ８を通過し、孔あきミラー９に至る。さらに、フォーカス指標光束は、穴あきミラー９で反射し、対物レンズ１０を通過して、フォーカス指標Ｆａ，Ｆｂとして眼底Ｅｒに投影される。このように、本発明の実施形態では、赤外ＬＥＤ１４および赤外ＬＥＤから対物レンズ１０に至る光路に設けられる各部材が、被検眼Ｅにフォーカス指標を投影するフォーカス指標投影手段として機能する。眼底Ｅｒで反射したフォーカス指標光束の反射像は、照明光束の眼底反射光と同じ光路を経てＣＭＯＳセンサー１７に結像する。そして、フォーカス指標光束の反射像は、それぞれフォーカス指標像Ｆａ’、Ｆｂ’（図３参照）を形成する。焦用指標投影光学系Ｏ３は、合焦レンズ１５と連動して動く。そして、眼底Ｅｒに投影されたフォーカス指標Ｆａ，Ｆｂのフォーカス指標像Ｆａ’，Ｆｂ’の位置ずれが最小となった場合に、撮影時に得られる眼底像の画像のピントは適正となる。
【００２１】
赤外ＬＥＤ２１ａ，２１ｂが発する光束（アライメント指標光束）は、ライトガイド２０ａ，２０ｂの出射端から出射する。アライメント指標光束は、対物レンズ１０を通過し、アライメント指標Ｗａ，Ｗｂとして被検眼Ｅに投影される。このように、本発明の実施形態では、赤外ＬＥＤ２１ａ，２１ｂおよび赤外ＬＥＤ２１ａ，２１ｂから対物レンズ１０に至る光路に設けられる各部材が、被検眼Ｅにアライメント指標を投影するアライメント指標投影手段として機能する。アライメント指標光束は、角膜において反射する。アライメント指標光束の反射光束は、フォーカス指標Ｆａ，Ｆｂと同様に、ＣＭＯＳセンサー１７上に結像する。結像したアライメント指標光束の反射光束は、アライメント指標像Ｗａ’，Ｗｂ’となる。被検眼Ｅと眼底カメラ１００の撮影光軸方向の作動距離が適正となった場合に、このアライメント指標像Ｗａ’，Ｗｂ’のコントラストが極大となる。
【００２２】
画像信号処理部１８は、眼底観察時には観察手段の一例として機能し、システム制御部２６の制御にしたがって、ＣＭＯＳセンサー１７が出力する眼底の画像（画像信号）に、観察モード処理を行う。すなわち、画像信号処理部１８は、眼底観察時には、ＣＭＯＳセンサー１７が出力する被検眼Ｅの眼底Ｅｒの画像に、被検眼Ｅと眼底カメラ１００との作動距離の指針となるアライメントマークＭを電子的に付加する処理を行う。そして、画像信号処理部１８は、処理した画像を、表示部１９およびシステム制御部２６に出力する。表示部１９は、画像信号処理部１８により処理された画像を表示する。説明の便宜上、眼底観察時において画像信号処理部１８により処理された被検眼Ｅの眼底Ｅｒの画像を、観察画像と称する。本発明の実施形態においては、画像信号処理部１８は、眼底観察時において、眼底Ｅｒの画像の取得を、１フレーム／２００ｍｓｅｃの頻度で実施する。
【００２３】
操作者は、表示部１９に表示された観察画像を参照し、操作部２７を用いて、撮影準備の操作として、アライメントおよびフォーカス合わせのための操作を行う。システム制御部２６は、操作部２７への操作に基づいて、アライメントおよびフォーカス合わせを実行する。
【００２４】
ここで、眼底観察時における撮影準備の進捗の程度である撮影準備状況の評価について、図４を参照して説明する。図４は、本発明の実施形態にかかる撮影準備状況の評価項目を示す。本発明の実施形態では、システム制御部２６は、撮影準備状況を評価し、評価結果に基づいてメインコンデンサ３１の充電を制御する。なお、システム制御部２６には、観察画像を用いて所定の画像処理を行う機能が実装されている。そして、システム制御部２６は評価手段の一例として機能し、画像信号処理部１８からの出力される観察画像と、あらかじめ設定されたアライメント半完範囲Ａ１およびフレア検出範囲Ａ２の情報に基づき、撮影準備状況を評価する。
【００２５】
本発明の実施形態では、あらかじめ、図４に示すような撮影準備評価項目ｅ１〜ｅ７が設定されている。それぞれの撮影準備評価項目ｅ１〜ｅ７には、あらかじめ、撮影準備評価値Ｐｅ１〜Ｐｅ７（％）が割り当てられている。システム制御部２６は評価手段の一例として機能し、観察画像が各項目に規定される内容を充足しているか否かを判定する。そして、システム制御部２６は、その判定結果に基づいて、撮影準備評価値Ｐｅ１〜Ｐｅ７を、撮影準備評価値合計Ｐｓｕｍに加算する演算を行う。なお、システム制御部２６は、撮影準備評価値合計Ｐｓｕｍの演算を、フレーム毎に行う。撮影準備評価値合計Ｐｓｕｍが１００％未満である場合には、システム制御部２６は、眼底カメラ１００が撮影準備中であると判定する。撮影準備評価項目ｅ１〜ｅ７の全てを充足して撮影準備評価値合計Ｐｓｕｍが１００％となると、システム制御部２６は、撮影準備が完了したと判定して撮影を実行する。
【００２６】
また、システム制御部２６は評価手段の一例として機能し、撮影準備の進捗の程度である撮影準備状況を、撮影準備評価値合計Ｐｓｕｍの値に基づいて評価する。そして、システム制御部２６は制御手段の一例として機能し、その評価結果に基づいて、電源２９によるメインコンデンサ３１の充電の実施と停止を制御する。
【００２７】
撮影準備評価項目ｅ１〜ｅ５は、被検眼Ｅと眼底カメラ１００とのアライメントに関する撮影準備状況の評価項目である。操作者は操作部２７を用いて、アライメント指標像Ｗａ’，Ｗｂ’がアライメントマークＭに入るように操作を行う。システム制御部２６は、操作部２７に対する操作に基づいて、被検眼Ｅと眼底カメラ１００との作動距離を調整する。
【００２８】
撮影準備評価項目ｅ１について、システム制御部２６は、得られる観察画像からフレア検出範囲Ａ２の領域輝度平均を計算する。そして、その値が閾値以下であるか否かを判定する。その値が閾値以下である場合には、システム制御部２６は、フレアなしと判定し、撮影準備評価値合計Ｐｓｕｍに、撮影準備評価値Ｐｅ１＝２０％を加算する。
【００２９】
撮影準備評価項目ｅ２について、システム制御部２６は、得られる観察画像に両方のアライメント指標像Ｗａ’，Ｗｂ’が存在するか否かを判定する。観察画像に両方のアライメント指標像Ｗａ’，Ｗｂ’が存在する場合には、システム制御部２６は、撮影準備評価値合計Ｐｓｕｍに、撮影準備評価値Ｐｅ２＝２０％を加算する。
【００３０】
撮影準備評価項目ｅ３について、システム制御部２６は、アライメント指標像Ｗａ’，Ｗｂ’のコントラストが閾値以上であるか否かを判定する。そして、コントラストが閾値以上である場合には、システム制御部２６は、被検眼ＥからＣＭＯＳセンサー１７に至る方向についての被検眼Ｅと眼底カメラ１００の作動距離が適正であると判定する。この場合には、システム制御部２６は、撮影準備評価値合計Ｐｓｕｍに、撮影準備評価値Ｐｅ３＝１０％を加算する。
【００３１】
撮影準備評価項目ｅ４について、システム制御部２６は、アライメント指標像Ｗａ’，Ｗｂ’がアライメント半完範囲Ａ１の内側に存在するか否かを判定する。存在する場合には、システム制御部２６は、撮影準備評価値合計Ｐｓｕｍに、撮影準備評価値Ｐｅ４＝１０％を加算する。
【００３２】
撮影準備評価項目ｅ５について、システム制御部２６は、アライメント指標像Ｗａ’，Ｗｂ’がアライメントマークＭの内側に存在するか否かを判定する。３フレーム連続で存在する場合には、システム制御部２６は、左右方向と上下方向のアライメントが完了したと判定する。この場合には、システム制御部２６は、撮影準備評価値合計Ｐｓｕｍに、撮影準備評価値Ｐｅ５＝１０％を加算する。
【００３３】
撮影準備評価項目ｅ６は、フォーカスに関する撮影準備状況の評価項目である。操作者は、操作部２７を用い、２つのフォーカス指標像Ｆａ’，Ｆｂ’の位置ずれが少なくなるように操作する。システム制御部２６は、操作者による操作部２７の操作に基づいて、眼底Ｅｒに撮影のフォーカスを合わせる。そして、システム制御部２６は、得られる観察画像にフォーカス指標像Ｆａ’，Ｆｂ’が存在するか否かを判定する。観察画像にその両方が存在する場合には、システム制御部２６は、撮影準備評価値合計Ｐｓｕｍに、撮影準備評価値Ｐｅ６＝２０％を加算する。（ｅ６）
【００３４】
撮影準備評価項目ｅ７も、撮影準備評価項目ｅ６と同様に、フォーカスに関する撮影準備状況の評価項目である。システム制御部２６は、観察画像における２つのフォーカス指標像Ｆａ’，Ｆｂ’の位置ずれ量が閾値以下であるか否かを判定する。位置ずれ量が閾値以下である場合には、システム制御部２６は、フォーカス合わせが完了したと判定する。この場合には、システム制御部２６は、撮影準備評価値合計Ｐｓｕｍに、撮影準備評価値Ｐｅ７＝１０％を加算する。
【００３５】
次に、本実施形態における撮影準備状況評価に基づいた充電および撮影制御について、図５を参照して説明する。図５は、本実施形態における充電と撮影の制御のフローチャートである。
【００３６】
ステップＳ１０１において、システム制御部２６は、画像信号処理部１８から観察画像を取得する。ステップＳ１０１は、観察ステップの例である。例えば、システム制御部２６は、観察画像の取得を１フレーム／２００ｍｓｅｃの頻度で実施する。また、このステップにおいてシステム制御部２６は、評価手段の一例として機能し、観察画像から撮影準備評価項目ｅ１〜ｅ７の内容について判定を行い、判定結果に基づいて撮影準備評価値合計Ｐｓｕｍを算出する。
【００３７】
ステップＳ１０２において、システム制御部２６は、撮影準備評価値合計Ｐｓｕｍが閾値以上であるか閾値未満であるかを判定する。ここでは、撮影準備評価値合計Ｐｓｕｍの閾値があらかじめ５０％に設定される例を示す。この場合には、システム制御部２６は、撮影準備評価値合計Ｐｓｕｍが５０％以上であるか否かを判定する。すなわち、このステップでは、システム制御部２６は評価手段の一例として機能し、各項目に割り当てられた撮影準備評価値の合算の結果である撮影準備評価値合計Ｐｓｕｍに基づいて、撮影準備状況を評価する。撮影準備評価値合計Ｐｓｕｍが５０％以上であれば、ステップＳ１０３に移行し、そうでない場合にはステップＳ１０４に移行する。
【００３８】
ステップＳ１０３において、システム制御部２６は制御手段の一例として機能し、電源２９を制御してメインコンデンサ３１の充電を実施する。このステップＳ１０３は、充電ステップの例である。本発明の実施形態において、メインコンデンサ３１の充電電圧は３００Ｖであるものとする。この場合、充電電圧が３００Ｖの±２％以内にある場合は、システム制御部２６は、メインコンデンサ３１の充電を実施しない。
【００３９】
ステップＳ１０４において、システム制御部２６は制御手段の一例として機能し、電源２９によるメインコンデンサ３１の充電を停止する。充電を実施していない場合はその状態を保持する。
【００４０】
ステップＳ１０２は、評価ステップと切り替えステップの例である。このように、システム制御部２６は、撮影準備評価地の合算の結果である撮影準備評価値合計Ｐｓｕｍに基づいて撮影準備状況を評価する。本実施形態では、システム制御部２６は、撮影準備評価値の合算である撮影準備評価値合計Ｐｓｕｍが閾値以上であるか閾値未満であるかを判定する。評価結果に基づいてメインコンデンサ３１の充電の実施と停止とを切り替える。本実施形態では、システム制御部２６は、撮影準備評価値合計Ｐｓｕｍが閾値以上であればメインコンデンサ３１の充電を実施し、閾値未満であれば充電を停止する。
【００４１】
ステップＳ１０５において、システム制御部２６は評価手段の一例として機能し、撮影準備評価値合計Ｐｓｕｍが１００％であるか否かを判定する。１００％である場合には、撮影準備が完了していると判定し、ステップＳ１０６に移行する。１００％でない場合には、撮影準備中であると判定し、ステップＳ１０１に戻る。
【００４２】
ステップＳ１０６において、システム制御部２６は制御手段の一例として機能し、メインコンデンサ３１の充電が完了したか否かを判定する。本発明の実施形態においては、システム制御部２６は、コンデンサ充電電圧である３００Ｖ±２％となった場合に、充電が完了したと判定する。完了していればステップＳ１０８に移行する。充電が完了していない場合はステップＳ１０７に移行する。
【００４３】
ステップＳ１０７において、システム制御部２６は制御手段の一例として機能し、電源２９を制御して、充電完了まで電源２９によるメインコンデンサ３１の充電を継続する。その後同じくステップＳ１０８に移行する。
【００４４】
ステップＳ１０８において、システム制御部２６は撮影を実行する。具体的には次のとおりである。システム制御部２６は、キセノン管駆動部２３を制御してキセノン管３を発光させる。それと同期してシステム制御部２６は、ＬＥＤ駆動部２２，２４，２５を制御して赤外ＬＥＤ１，１４，２１ａ，２１ｂを消灯し、合焦用指標投影光学系Ｏ３を照明光学系Ｏ１の光軸上から退避させる。キセノン管３が発した光束は、眼底照明光学系Ｏ１を通過し、被検眼Ｅの眼底Ｅｒで反射する。反射した光束は、撮影手段の一例である眼底撮影光学系Ｏ２のＣＭＯＳセンサー１７上に結像する。ＣＭＯＳセンサー１７は、結像した光学像を電気信号に変換して画像信号処理部１８に出力する。画像信号処理部１８は、ＣＭＯＳセンサー１７の出力から静止画を生成し記録部２８に保存する。さらに、システム制御部２６は、ＩＧＢＴ３２をＯＦＦにし、キセノン管３の発光を停止させる。
【００４５】
このように、システム制御部２６は、撮影準備状況を評価し、その評価結果に基づいて、撮影準備状況が所定の状態に至った段階で充電を実施する。このため、メインコンデンサ３１が充電量の多い状態を保持している時間が短縮される。そして、高い電圧で充電された状態でいる時間が短くて済むため、メインコンデンサ３１の自然放電により失われるエネルギーを大幅に減少させることができる。
【００４６】
以上、本実施形態について詳細に説明したが、本実施形態は、本実施するにあたっての具体例を示したに過ぎない。本発明の技術的範囲は、本実施形態に限定されるものではない。本発明は、その趣旨を逸脱しない範囲において種々の変更が可能であり、それらも本発明の技術的範囲に含まれる。
【００４７】
たとえば、本発明の実施形態においては眼科装置の例として眼底カメラを示したが、本発明は眼底カメラに限定されるものではない。本発明は、光干渉断層撮影装置や、眼底カメラと光干渉断層撮影装置（ＯＣＴ）との両方の機能を有する眼科装置、すなわち、眼底カメラの光学系とＯＣＴの光学系を一部共通化した眼科装置にも適用できる。要は、本発明は、撮影時に被検眼を照明する撮影用光源と、この撮影用光源に電力を供給するコンデンサ（キャパシタ）とを有する眼科装置であれば、種類を問わずに適用できる。
【００４８】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラムを記憶したコンピュータ読取り可能な記憶媒体は本発明を構成することになる。
【産業上の利用可能性】
【００４９】
本発明は、撮影用光源と、この撮影用光源に電力を供給するコンデンサ（キャパシタ）とを有する眼科装置に有効な技術である。そして、本発明によれば、コンデンサの自然放電によるエネルギーの無駄な消費を減少させることができる。
【符号の説明】
【００５０】
１：赤外ＬＥＤ、３：キセノン管、１５：合焦レンズ、１７：ＣＭＯＳセンサー、１８：画像信号処理部、２３：キセノン管駆動回路、２６：システム制御部、２９：電源、３１：コンデンサ、Ｅ：被検眼、Ｅｒ：眼底、Ｗａ，Ｗｂ：アライメント指標、Ｆａ，Ｆｂ：フォーカス指標、Ｐｓｕｍ：撮影準備評価値合計、Ｏ１：眼底照明光学系、Ｏ２：眼底撮影光学系、Ｏ３：合焦用指標投影光学系
【図１】
2015202381.tif 000003
【図２】
2015202381.tif 000004
【図３】
2015202381.tif 000005
【図４】
2015202381.tif 000006
【図５】
2015202381.tif 000007